(57)【特許請求の範囲】
【請求項１】
トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  Ｃｏｒｒｅｌａｔｉｏｎ  Ｉｄｅｎｔｉｆｉｅｒ）を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記ＮＣＣＩとを引き渡す呼処理要求受信部と、
ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、
呼処理情報記憶部を参照することで、呼処理要求受信部より引き渡された前記指定ＤＴＬと前記ＮＣＣＩを満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、
ＰＮＮＩネットワーク全体を仮想的階層構造のトポロジーとして認識した情報を保有するＮＷ構成管理部と、
当該ＡＴＭ交換機が発呼に要するリソースの空き状況に関する情報を少なくとも有する情報を保有する呼処理情報記憶部と、
を備えることを特徴とするＡＴＭ交換機。
【請求項２】
トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  Ｃｏｒｒｅｌａｔｉｏｎ  Ｉｄｅｎｔｉｆｉｅｒ）を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記ＮＣＣＩとを引き渡す第１の呼処理要求受信部と、
他ＡＴＭ交換機から受信したＳＥＴＵＰメッセージ中のＤＴＬとＮＣＣＩをＮＣＣＩ／指定ＤＴＬ処理機能部に引き渡す第２の呼処理要求受信部と、
ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、
呼処理情報記憶部を参照することで、前記第１の呼処理要求受信部より引き渡された前記指定ＤＴＬと前記ＮＣＣＩを満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、
前記第１の呼処理要求受信部より前記ＮＣＣＩと前記指定ＤＴＬを引き受け、前記第１の呼処理要求受信部にて受信した前記ＮＣＣＩを前記第２の呼処理要求受信部にて受信した前記ＮＣＣＩと照合するＮＣＣＩ／指定ＤＴＬ処理機能部と、
ＰＮＮＩネットワーク全体を仮想的階層構造のトポロジーとして認識した情報を保有するＮＷ構成管理部と、
当該ＡＴＭ交換機が発呼に要するリソースの空き状況に関する情報を少なくとも有する情報を保有する呼処理情報記憶部と、
前記第１の呼処理要求受信部より引き渡された前記ＮＣＣＩと前記指定ＤＴＬをＮＣＣＩ／指定ＤＴＬ処理機能部を経由して入力して記憶するＮＣＣＩ／指定ＤＴＬ記憶部と、
を備えることを特徴とするＡＴＭ交換機。
【請求項３】
ＡＴＭ交換機のＮＷ構成管理部の有するＰＮＮＩ（Ｐｒｉｖａｔｅ  Ｎｅｔｗｏｒｋ−Ｎｅｔｗｏｒｋ  Ｉｎｔｅｒｆａｃｅ）トポロジー情報を取得するＮＭＳ内ＮＷ構成管理部と、
発呼要求を、これにトポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  Ｃｏｒｒｅｌａｔｉｏｎ  Ｉｄｅｎｔｉｆｉｅｒ）を付加してＡＴＭ交換機に送信する呼処理要求送信部と、
を備えることを特徴とするネットワークマネジメントシステム。
【請求項４】
請求項１に記載のＡＴＭ交換機と請求項２に記載のＡＴＭ交換機と請求項３に記載のネットワークマネジメントシステムとを備えることを特徴とするＰＮＮＩ運用ＡＴＭ交換機網における経路指定Ｓ−ＰＶＣ設定システム。
【請求項５】
トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記目的地番号と要求元番号とを引き渡す呼処理要求受信部と、
ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、
呼処理情報記憶部を参照することで、呼処理要求受信部より引き渡された前記指定ＤＴＬと前記目的地番号と要求元番号を満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、
ＰＮＮＩネットワーク全体を仮想的階層構造のトポロジーとして認識した情報を保有するＮＷ構成管理部と、
当該ＡＴＭ交換機が発呼に要するリソースの空き状況に関する情報を少なくとも有する情報を保有する呼処理情報記憶部と、
を備えることを特徴とするＡＴＭ交換機。
【請求項６】
トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記目的地番号と要求元番号とを引き渡す第１の呼処理要求受信部と、
他ＡＴＭ交換機から受信したＳＥＴＵＰメッセージ中のＤＴＬと目的地番号と要求元番号をＣｄＰＮ（Ｃａｌｌｅｄ  Ｐａｒｔｙ  Ｎｕｍｂｅｒ）・ＣｇＰＮ（Ｃａｌｌｉｎｇ  Ｐａｒｔｙ  Ｎｕｍｂｅｒ）／指定ＤＴＬ処理機能部に引き渡す第２の呼処理要求受信部と、
ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、
呼処理情報記憶部を参照することで、前記第１の呼処理要求受信部より引き渡された前記指定ＤＴＬと前記目的地番号と要求元番号を満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、
前記第１の呼処理要求受信部より前記目的地番号と要求元番号と前記指定ＤＴＬを引き受け、前記第１の呼処理要求受信部にて受信した前記目的地番号と要求元番号を前記第２の呼処理要求受信部にて受信した前記目的地番号と要求元番号と照合するＣｄＰＮ・ＣｇＰＮ／指定ＤＴＬ処理機能部と、
ＰＮＮＩネットワーク全体を仮想的階層構造のトポロジーとして認識した情報を保有するＮＷ構成管理部と、
当該ＡＴＭ交換機が発呼に要するリソースの空き状況に関する情報を少なくとも有する情報を保有する呼処理情報記憶部と、
前記第１の呼処理要求受信部より引き渡された前記目的地番号と要求元番号と前記指定ＤＴＬをＣｄＰＮ・ＣｇＰＮ／指定ＤＴＬ処理機能部を経由して入力して記憶するＣｄＰＮ・ＣｇＰＮ／指定ＤＴＬ記憶部と、
を備えることを特徴とするＡＴＭ交換機。
【請求項７】
ＡＴＭ交換機のＮＷ構成管理部の有するＰＮＮＩ（Ｐｒｉｖａｔｅ  Ｎｅｔｗｏｒｋ−Ｎｅｔｗｏｒｋ  Ｉｎｔｅｒｆａｃｅ）トポロジー情報を取得するＮＭＳ内ＮＷ構成管理部と、
発呼要求を、これにトポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を付加してＡＴＭ交換機に送信する呼処理要求送信部と、
を備えることを特徴とするネットワークマネジメントシステム。
【請求項８】
請求項５に記載のＡＴＭ交換機と請求項６に記載のＡＴＭ交換機と請求項７に記載のネットワークマネジメントシステムとを備えることを特徴とするＰＮＮＩ運用ＡＴＭ交換機網における経路指定Ｓ−ＰＶＣ設定システム。
【発明の詳細な説明】
【０００１】
【発明の属する技術分野】
本発明は、ＡＴＭ交換機及びそれを有するＡＴＭ交換機網における経路設定方式に関し、特に、Ｓ−ＰＶＣ（Ｓｏｆｔ−Ｐｒｉｖａｔｅ  Ｖｉｒｔｕａｌ  Ｃｏｎｎｅｃｔｉｏｎ）を設定する方式に関する。
【０００２】
【従来の技術】
複数ＡＴＭ交換機によりネットワークを運用している場合、そのネットワーク内において運用管理者の意図を反映したコネクション確立手段としてはＰＶＣ手法が挙げられる。同一ベンダーのＡＴＭ交換機によりネットワークが運用されているもとでは、障害が発生した場合でもプリカット・リルート機能により予め指定していた迂回経路を代用できるために伝送路の確保が継続できるが、複数のベンダーのＡＴＭ交換機によりネットワークが運用されているもとでは、上記機能を適用できないため伝送路の確保を失う場合もある。このような複数のベンダーのＡＴＭ交換機を含む場合の障害時にも、別途迂回経路を確立して引き続き利用できる仕組みとして、当ネットワークに対してＰＮＮＩ（Ｐｒｉｖａｔｅ  Ｎｅｔｗｏｒｋ−Ｎｅｔｗｏｒｋ  Ｉｎｔｅｒｆａｃｅ）運用を適用し、そのＰＮＮＩネットワークのもとでのＳ−ＰＶＣ手法による障害時コネクション・リトライ機能により確保することができる。
【０００３】
【発明が解決しようとする課題】
しかしこの従来技術には、迂回経路に関して考慮されているＰＮＮＩ運用下でのＳ−ＰＶＣ手法によるコネクション確立時に、運用管理者の指示による任意の経路指定ができないという課題がある。
【０００４】
その理由は、ＰＮＮＩネットワークにおけるＳ−ＰＶＣコネクション確立要求時には、その経路の出発ノードにて既に得られている経路計算結果により自動的に経路が選択される為である。
【０００５】
ＰＮＮＩネットワーク上でＳ−ＰＶＣコネクションを確立する際には、目的対象となる宛先を指定することで、その経路の出発ノードとなるオリジネイテッド・ノードが持ち合わせるＰＮＮＩトポロジー情報を利用して最適な経路を自動的に決定していた。これらの従来技術に関しては、Ｐｒｉｖａｔｅ  Ｎｅｔｗｏｒｋ−Ｎｅｔｗｏｒｋ  Ｉｎｔｅｒｆａｃｅ  Ｓｐｅｃｉｆｉｃａｔｉｏｎ  Ｖｅｒｓｉｏｎ  １．０、  Ｔｈｅ  ＡＴＭ  Ｆｏｒｕｍ  ａｆ−ｐｎｎｉ−００５５．０００、  Ｍａｒｃｈ
１９９６を参照されたい。
【０００６】
本発明は、複数ベンダーのＡＴＭ交換機から構成されるネットワークにおいても、ＰＮＮＩ上でＳ−ＰＶＣを使用することで、障害発生時でも迂回経路獲得機能による伝送路の継続利用を保証し、さらに、運用管理者の指定した任意の経路でコネクション設定を可能とするシステムを提供することを目的とする。
【０００７】
【課題を解決するための手段】
本発明の第１の観点によるＡＴＭ交換機は、トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  Ｃｏｒｒｅｌａｔｉｏｎ  Ｉｄｅｎｔｉｆｉｅｒ）を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記ＮＣＣＩとを引き渡す呼処理要求受信部と、ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、呼処理情報記憶部を参照することで、呼処理要求受信部より引き渡された前記指定ＤＴＬと前記ＮＣＣＩを満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、ＰＮＮＩネットワーク全体を仮想的階層構造のトポロジーとして認識した情報を保有するＮＷ構成管理部と、当該ＡＴＭ交換機が発呼に要するリソースの空き状況に関する情報を少なくとも有する情報を保有する呼処理情報記憶部と、を備えることを特徴とする。
【０００８】
本発明の第２の観点によるＡＴＭ交換機は、トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  Ｃｏｒｒｅｌａｔｉｏｎ  Ｉｄｅｎｔｉｆｉｅｒ）を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記ＮＣＣＩとを引き渡す第１の呼処理要求受信部と、他ＡＴＭ交換機から受信したＳＥＴＵＰメッセージ中のＤＴＬとＮＣＣＩをＮＣＣＩ／指定ＤＴＬ処理機能部に引き渡す第２の呼処理要求受信部と、ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、呼処理情報記憶部を参照することで、前記第１の呼処理要求受信部より引き渡された前記指定ＤＴＬと前記ＮＣＣＩを満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、前記第１の呼処理要求受信部より前記ＮＣＣＩと前記指定ＤＴＬを引き受け、前記第１の呼処理要求受信部にて受信した前記ＮＣＣＩを前記第２の呼処理要求受信部にて受信した前記ＮＣＣＩと照合するＮＣＣＩ／指定ＤＴＬ処理機能部と、ＰＮＮＩネットワーク全体を仮想的階層構造のトポロジーとして認識した情報を保有するＮＷ構成管理部と、当該ＡＴＭ交換機が発呼に要するリソースの空き状況に関する情報を少なくとも有する情報を保有する呼処理情報記憶部と、前記第１の呼処理要求受信部より引き渡された前記ＮＣＣＩと前記指定ＤＴＬをＮＣＣＩ／指定ＤＴＬ処理機能部を経由して入力して記憶するＮＣＣＩ／指定ＤＴＬ記憶部と、を備えることを特徴とする。
【０００９】
本発明の第３の観点によるネットワークマネジメントシステムは、ＡＴＭ交換機のＮＷ構成管理部の有するＰＮＮＩ（Ｐｒｉｖａｔｅ  Ｎｅｔｗｏｒｋ−Ｎｅｔｗｏｒｋ  Ｉｎｔｅｒｆａｃｅ）トポロジー情報を取得するＮＭＳ内ＮＷ構成管理部と、発呼要求を、これにトポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子であるＮＣＣＩ（Ｎｅｔｗｏｒｋ  Ｃａｌｌ  ＣｏｒｒｅｌａｔｉｏｎＩｄｅｎｔｉｆｉｅｒ）を付加してＡＴＭ交換機に送信する呼処理要求送信部と、を備えることを特徴とする。
【００１０】
本発明の第４の観点によるＰＮＮＩ運用ＡＴＭ交換機網における経路指定Ｓ−ＰＶＣ設定システムは、本発明の第１の観点によるＡＴＭ交換機と本発明の第２の観点によるＡＴＭ交換機と本発明の第３の観点によるネットワークマネジメントシステムとを備えることを特徴とする。
【００１１】
本発明の第５の観点によるＡＴＭ交換機は、トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記目的地番号と要求元番号とを引き渡す呼処理要求受信部と、ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、呼処理情報記憶部を参照することで、呼処理要求受信部より引き渡された前記指定ＤＴＬと前記目的地番号と要求元番号を満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、ＰＮＮＩネットワーク全体を仮想的階層構造のトポロジーとして認識した情報を保有するＮＷ構成管理部と、当該ＡＴＭ交換機が発呼に要するリソースの空き状況に関する情報を少なくとも有する情報を保有する呼処理情報記憶部と、を備えることを特徴とする。
【００１２】
本発明の第６の観点によるＡＴＭ交換機は、トポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を受信し、自身が属するＰＮＮＩ（Ｐｒｉｖａｔｅ  Ｎｅｔｗｏｒｋ−Ｎｅｔｗｏｒｋ  Ｉｎｔｅｒｆａｃｅ）ネットワーク中のピア・グループ内で、前記指定ＤＴＬの経路指定コネクションの実現が可能かどうかをＰＮＮＩ−ＮＷ構成情報処理機能部に問い合わせて、ノードが持つＤＴＬとの正常性を得られることで呼処理機能部に前記指定ＤＴＬと前記目的地番号と要求元番号とを引き渡す第１の呼処理要求受信部と、他ＡＴＭ交換機から受信したＳＥＴＵＰメッセージ中のＤＴＬと目的地番号と要求元番号をＣｄＰＮ（Ｃａｌｌｉｎｇ  Ｐａｒｔｙ  Ｎｕｍｂｅｒ）・ＣｇＰＮ（Ｃａｌｌｅｄ  Ｐａｒｔｙ  Ｎｕｍｂｅｒ）／指定ＤＴＬ処理機能部に引き渡す第２の呼処理要求受信部と、ＮＷ構成管理部から、どのＡＴＭ交換機からどのＡＴＭ交換機までの間にどれだけの回線を有しどれだけのリソースを占有しているかについての情報を少なくとも有する経路管理情報を参照するＰＮＮＩ−ＮＷ構成情報処理機能部と、呼処理情報記憶部を参照することで、前記第１の呼処理要求受信部より引き渡された前記指定ＤＴＬと前記目的地番号と要求元番号を満足する発呼を実施し、ピア・グループ内におけるＳ−ＰＶＣ（Ｓｏｆｔ−Ｐｒｉｖａｔｅ  Ｖｉｒｔｕａｌ  Ｃｏｎｎｅｃｔｉｏｎ）コネクションを実現する機能を少なくとも有する呼処理機能部と、前記第１の呼処理要求受信部より前記目的地番号と要求元番号と前記指定ＤＴＬを引き受け、前記第１の呼処理要求受信部にて受信した前記目的地番号と要求元番号を前記第２の呼処理要求受信部にて受信した前記目的地番号と要求元番号と照合するＣｄＰＮ・ＣｇＰＮ／指定ＤＴＬ処理機能部と、ＰＮＮＩネットワーク全体を仮想的階層構造のトポロジーとして認識した情報を保有するＮＷ構成管理部と、当該ＡＴＭ交換機が発呼に要するリソースの空き状況に関する情報を少なくとも有する情報を保有する呼処理情報記憶部と、前記第１の呼処理要求受信部より引き渡された前記目的地番号と要求元番号と前記指定ＤＴＬをＣｄＰＮ・ＣｇＰＮ／指定ＤＴＬ処理機能部を経由して入力して記憶するＣｄＰＮ・ＣｇＰＮ／指定ＤＴＬ記憶部と、を備えることを特徴とする。
【００１３】
本発明の第７の観点によるネットワークマネジメントシステムは、ＡＴＭ交換機のＮＷ構成管理部の有するＰＮＮＩ（Ｐｒｉｖａｔｅ  Ｎｅｔｗｏｒｋ−Ｎｅｔｗｏｒｋ  Ｉｎｔｅｒｆａｃｅ）トポロジー情報を取得するＮＭＳ内ＮＷ構成管理部と、発呼要求を、これにトポロジー情報を用いて指定した経路情報である指定ＤＴＬ（Ｄｅｓｉｇｎａｔｅｄ  Ｔｒａｎｓｉｔ  Ｌｉｓｔ）と呼を一意に識別するための識別子である着ＡＴＭアドレスと発ＡＴＭアドレスをフィールドとしてそれぞれ含む発呼要求ＳＥＴＵＰメッセージ中の目的地番号と要求元番号を付加してＡＴＭ交換機に送信する呼処理要求送信部と、を備えることを特徴とする。
【００１４】
本発明の第８の観点によるＰＮＮＩ運用ＡＴＭ交換機網における経路指定Ｓ−ＰＶＣ設定システムは、ＡＴＭ交換機と請求項６に記載のＡＴＭ交換機と請求項７に記載のネットワークマネジメントシステムとを備えることを特徴とする。
【００１５】
【発明の実施の形態】
本発明は、複数ピア・グループ（Ｐｅｅｒ  Ｇｒｏｕｐ）から構成されるＰＮＮＩ（ＰｒｉｖａｔｅＮｅｔｗｏｒｋ−Ｎｅｔｗｏｒｋ  Ｉｎｔｅｒｆａｃｅ）ネットワークにおいて、Ｓ−ＰＶＣ（Ｓｏｆｔ  ＰｒｉｖａｔｅＶｉｒｔｕａｌ  Ｃｏｎｎｅｃｔｉｏｎ）手法によりコネクションを確立する際、運用管理者が指定した任意の経路を自動経路選択に優先して選択設定するシステムを提供するものである。
【００１６】
図１において、ＡＴＭ交換機２０ａは、経路指定における発ノード（オリジネイテッド・ノード）である。ＡＴＭ交換機２０ｂは、複数ピア・グループを経由する経路指定における中継ピア・グループ内の入り口にあたるノード（エントリ・ノード）である。また、それ以外のノードも含めた当ネットワーク内の全てのノードは、ＰＮＮＩ運用のもとで、各ノードが持つトポロジー情報によって自動的に選択した経路にＳ−ＰＶＣコネクションを確立する機能を具備する。ＮＭＳ（Ｎｅｔｗｏｒｋ  Ｍａｎａｇｅｍｅｎｔ  Ｓｙｓｔｅｍ）内部機能部１０を有する装置は、上記ノードと運用管理者との通信手段を具備する。運用管理者は、ＮＭＳ内ＮＷ構成管理部１１を通して、ＮＷ構成管理部４１ａ、４１ｂの有するＰＮＮＩトポロジー情報を取得する。運用管理者は、発呼要求に次の二つの情報を付加し、呼処理要求送信部１２よりオリジネイテッド・ノードと各エントリ・ノードに対して送信することで、Ｓ−ＰＶＣ手法による経路指定コネクションを設定する。その一つは、トポロジー情報を用いて指定した「経路情報」であり、もう一つは、呼を一意に識別するための「識別子（Ｉｄｅｎｔｉｆｉｅｒ）」である。これらの発呼要求を受信した各ノードは、指定された経路情報を自動経路選択に優先してＳ−ＰＶＣコネクションを確立する機能を具備する。また、エントリ・ノードは、前段のピア・グループからの該発呼要求に含まれる経路情報と識別子を受信し、予め運用管理者より受信している識別子との識別を行うことで以降の経路選択を実施する機能を具備する。このように、識別子と合致した発呼要求に対して指定された経路情報に基づいてコネクションを設定することで、複数ピア・グループを経由するＳ−ＰＶＣコネクションを自動選択される経路に優先して任意の経路指定で確立できる。
【００１７】
図１を参照すると、本実施形態によるＰＮＮＩ運用ＡＴＭ交換機網における経路指定Ｓ−ＰＶＣ設定システムは、複数ＡＴＭ交換機を管理するＮＭＳ内部機能部１０を有するＮＭＳ（Ｎｅｔｗｏｒｋ  Ｍａｎａｇｅｍｅｎｔ  Ｓｙｓｔｅｍ）、オリジネイテッド・ノードＡＴＭ２０ａ、そしてエントリ・ノードＡＴＭ２０ｂ、を含む。各ノードとなるＡＴＭ交換機はＰＮＮＩ（Ｐｒｉｖａｔｅ  Ｎｅｔｗｏｒｋ−Ｎｅｔｗｏｒｋ  Ｉｎｔｅｒｆａｃｅ）によるネットワーク制御を実施している。また、オリジネイテッド・ノードと各エントリ・ノードは、ＰＮＮＩ運用の特徴としてノード自身がもつ経路設定可能リスト（「ＤＴＬ（Ｄｅｓｉｇｎａｔｅｄ  Ｔｒａｎｓｉｔ  Ｌｉｓｔ）」）の他に、ＮＭＳより受信する経路情報である「指定ＤＴＬ」を優先してＳ−ＰＶＣの経路選択に反映させる機能を有する。
【００１８】
ＮＭＳ内部機能部１０は、ＮＭＳ内ＮＷ構成管理部１１と、呼処理要求送信部１２とを有する。
【００１９】
ＮＭＳ内ＮＷ構成管理部１１は、ＰＮＮＩ運用中の複数ＡＴＭ交換機のネットワーク構成情報であるＰＮＮＩトポロジー情報を保有するデータ管理部４０ａ、４０ｂ中のＮＷ構成管理部４１ａ、４１ｂからその情報を読み取る。呼処理要求送信部１２は、ＮＭＳ内ＮＷ構成管理部１１を参照することでＰＮＮＩネットワーク運用中のオリジネイテッド・ノードから希望する目的地までの間の経路に関する情報を獲得し、当ネットワーク内のピア・グループ（Ｐｅｅｒ  Ｇｒｏｕｐ）をまたぐような任意の経路を指定した経路情報としてＤＴＬ形式に記述する機能を有し、かつ、その記述した指定ＤＴＬを発呼要求に付加して送信する機能と、その呼に対して一意に識別することが可能であるような識別子としてのＮＣＣＩ（Ｎｅｔｗｏｒｋ  Ｃａｌｌ  Ｃｏｒｒｅｌａｔｉｏｎ  Ｉｄｅｎｔｉｆｉｅｒ）を付加して送信する機能を有する。
【００２０】
オリジネイテッド・ノードＡＴＭ２０ａは、呼処理要求１受信部２１ａ、呼処理要求２受信部２２ａ、データ処理部３０ａ、そしてデータ管理部４０ａとを有する。
【００２１】
呼処理要求１受信部２１ａは、ＮＭＳの呼処理要求送信部１２より送信された指定ＤＴＬとＮＣＣＩを受信し、自身が属するＰＮＮＩネットワーク中のピア・グループ内で、指定ＤＴＬの経路指定コネクションの実現が可能かどうかをＰＮＮＩ−ＮＷ構成情報処理機能部３１ａに問い合わせて、ノードが持つＤＴＬとの正常性を得られることで呼処理機能部３２ａに指定ＤＴＬとＮＣＣＩとを引き渡す。
【００２２】
呼処理要求２受信部２２ａは、他ＡＴＭ交換機である発呼元５０からの発呼要求受信部であり、受信したＳＥＴＵＰメッセージ中のＤＴＬとＮＣＣＩをＮＣＣＩ／指定ＤＴＬ処理機能部３３ａに引き渡す。しかし、オリジネイテッド・ノードであるため、他ＡＴＭ交換機からの発呼要求を受け付けることがないため機能しない。
【００２３】
データ処理部３０ａは、ＰＮＮＩ−ＮＷ構成情報処理機能部３１ａ、呼処理機能部３２ａ、ＮＣＣＩ／指定ＤＴＬ処理機能部３３ａを有する。
【００２４】
ＰＮＮＩ−ＮＷ構成情報処理機能部３１ａは、データ管理部４０ａ中のＮＷ構成管理部４１ａを参照することで、どのＡＴＭ交換機からどのＡＴＭ交換機までの間にどれだけの回線を有しどれだけのリソースを占有しているか等の経路管理情報を参照することができる。
【００２５】
呼処理機能部３２ａは、通常のＳ−ＰＶＣコネクション発呼要求時には、そのノード自身が構築したＤＴＬによる最適なＳ−ＰＶＣコネクション確立による発呼処理を行うが、発呼要求時に運用管理者より指定ＤＴＬを受信した場合には、その指定ＤＴＬを優先して発呼要求を実施する機能を具備している。後者の場合、呼処理情報記憶部４２ａを参照することで、呼処理要求１受信部２１ａより引き渡された指定ＤＴＬとＮＣＣＩを満足する発呼を実施し、ピア・グループ内におけるＳ−ＰＶＣコネクションを実現する。
【００２６】
ＮＣＣＩ／指定ＤＴＬ処理機能部３３ａは、呼処理要求１受信部２１ａよりＮＣＣＩと指定ＤＴＬを引き受け、このＮＣＣＩを呼処理要求２受信部２２ａにて受信したＮＣＣＩと照合する処理を行うが、オリジネイテッド・ノードであるため、呼処理要求２受信部２２ａからのアクセスを受け付けることがないため機能しない。
【００２７】
データ管理部４０ａは、ＮＷ構成管理部４１ａ、呼処理情報記憶部４２ａ、ＮＣＣＩ／指定ＤＴＬ記憶部４３ａを具備する。
【００２８】
ＮＷ構成管理部４１ａは、ＰＮＮＩネットワーク全体を仮想的階層構造のトポロジーとして認識した情報を保有する。なお、ＰＮＮＩ運用という点でノード自身が構築しているＤＴＬはここで随時編集されている。
【００２９】
呼処理情報記憶部４２ａは、自身のＡＴＭ交換機が発呼に要するリソースの空き状況等の情報を保有する。
【００３０】
ＮＣＣＩ／指定ＤＴＬ記憶部４３ａは、呼処理要求１受信部２１ａより引き渡されたＮＣＣＩと指定ＤＴＬをＮＣＣＩ／指定ＤＴＬ処理機能部３３ａ経由で記憶し、呼処理要求２受信部２２ａにて受信したＮＣＣＩと照合するために再びＮＣＣＩ／指定ＤＴＬ処理機能部３３ａより読み込み要求を受けるが、オリジネイテッド・ノードであるため、ＮＣＣＩ／指定ＤＴＬ処理機能部３３ａからのアクセスを受け付けることがないため機能しない。
【００３１】
エントリ・ノードＡＴＭ２０ｂは、オリジネイテッド・ノードＡＴＭ２０ａと同様に、呼処理要求１受信部２１ｂ、呼処理要求２受信部２２ｂ、データ処理部３０ｂ、ＰＮＮＩ−ＮＷ構成情報処理機能部３１ｂ、呼処理機能部３２ｂ、ＮＣＣＩ／指定ＤＴＬ処理機能部３３ｂ、データ管理部４０ｂ、ＮＷ構成管理部４１ｂ、呼処理情報記憶部４２ｂ、そしてＮＣＣＩ／指定ＤＴＬ記憶部４３ｂを備える。ただし、自身ＡＴＭ交換機がエントリ・ノードとしての対応を要求されるため、次にあげる点で異なる。
【００３２】
呼処理要求１受信部２１ｂは、ＮＭＳの呼処理要求送信部１２よりエントリ・ノード宛てに送信された指定ＤＴＬとＮＣＣＩを受信し、まず自身がエントリ・ノードとして属するＰＮＮＩネットワーク中のピア・グループ内で、受信した指定ＤＴＬの経路指定コネクションの実現が可能かどうかをＰＮＮＩ−ＮＷ構成情報処理機能部３１ｂに問い合わせて正常性を判定し、正常性が得られれば引き続き呼処理機能部３２ｂとＮＣＣＩ／指定ＤＴＬ処理機能部３３ｂにそれら指定ＤＴＬとＮＣＣＩとを引き渡す。
【００３３】
呼処理要求２受信部２２ｂは、他ＡＴＭ交換機からの発呼要求受信部であり、エントリ・ノードとしては前段のピア・グループからの発呼要求を受信する。その発呼要求としてのＳＥＴＵＰメッセージを受信し、そのＳＥＴＵＰメッセージ中のＤＴＬとＮＣＣＩをデータ処理部３０ｂのＮＣＣＩ／指定ＤＴＬ処理機能部３３ｂに引き渡す。
【００３４】
ＮＣＣＩ／指定ＤＴＬ処理機能部３３ｂは、呼処理要求１受信部２１ｂより引き渡されたＮＣＣＩと指定ＤＴＬをＮＣＣＩ／指定ＤＴＬ記憶部４３ｂに記憶させ、前段にあたるピア・グループからの発呼要求として付加されてきたＮＣＣＩを呼処理要求２受信部２２ｂより引き渡された時点で二つのＮＣＣＩを照合し、一致した場合に限り呼処理機能部３２ｂを起動させて中継ピア・グループである当ピア・グループにおけるコネクションをＳ−ＰＶＣ手法により確立させる。このとき、発呼要求として受信したＤＴＬが仮想論理階層分を含む場合には、その仮想論理階層分のリストを指定ＤＴＬに加える編集を実施する。
【００３５】
なお、図２を参照すると、ＮＭＳ内部機能部１０はＮＭＳ１００に搭載され、オリジネイテッド・ノードＡＴＭ２０ａは、仮想論理階層構造トポロジーＡ内の論理ノードＢであるピア・グループＢのＡＴＭ交換機Ｂ−１であり、エントリ・ノードＡＴＭ２０ｂは論理ノードＣ、またはＤであるピア・グループＣ内のＡＴＭ交換機Ｃ−１やピア・グループＤ内のＡＴＭ交換機Ｄ−１である。そしてこれらＰＮＮＩネットワークにおけるＡＴＭ交換機は、ＮＭＳ１００との通信を行っている。
【００３６】
次に、図１、図２および図３を参照して本実施形態の動作について詳細に説明する。
【００３７】
本実施形態におけるＰＮＮＩネットワークにおいて次のようなＳ−ＰＶＣコネクションを示す；ターミナルＹ、リンクｙ、ＡＴＭ交換機Ｂ−１、リンクｂ−１２、ＡＴＭ交換機Ｂ−２、リンクｂ２１、ＡＴＭ交換機Ｃ−１、リンクｃ−１２、ＡＴＭ交換機Ｃ−２、リンクｃ２１、ＡＴＭ交換機Ｄ−１、リンクｄ−１２、ＡＴＭ交換機Ｄ−２、リンクｚ、ターミナルＺ。そしてこの経路は、予めＮＭＳ内ＮＷ構成管理部１１にて実現可能であることが周知であり、かつ、少なくともＰＮＮＩネットワーク中のターミナルからターミナルまでの経路取得はできるように運用されているものとする。
【００３８】
ＮＭＳ１００の呼処理要求送信部１２は、オリジネイテッド・ノードとしてのＡＴＭ交換機Ｂ−１の呼処理要求１受信部２１ａに対して、自ピア・グループＢ内経由で中継ピア・グループＣとしてのエントリ・ノードＣ−１までの経路指定、Ｂ発Ｃ、Ｄ経由となる仮想論理階層としての経路指定、これら二つの経路指定要素を含んだものとして編集された指定ＤＴＬ、および発呼識別子ＮＣＣＩを送信する。同様に、ＮＭＳ１００の呼処理要求送信部１２は、エントリ・ノードとしてのＡＴＭ交換機Ｃ−１の呼処理要求１受信部２１ｂに対して、自ピア・グループＣ経由で中継ピア・グループＤとしてのエントリ・ノードＤ−１までの経路指定として編集された指定ＤＴＬ、およびオリジネイテッド・ノードに対して送付した発呼識別子と同等のＮＣＣＩを送信し、エントリ・ノードとしてのＡＴＭ交換機Ｄ−１の呼処理要求１受信部２１ｂに対しても、自ピア・グループＤ経由でターミナルＺまでの経路指定として編集された指定ＤＴＬと該ＮＣＣＩを送信する。なお、ＡＴＭ交換機Ｂ−１からターミナルＹまでのコネクションは既に確立しているものとする。
【００３９】
ＡＴＭ交換機Ｂ−１が受信した指定ＤＴＬは次である。［Ｂ−１（ｂ−１２）、Ｂ−２（ｂ２１）］、［Ｂ（ｂ２１）、Ｃ（ｃ２１）、Ｄ（ｚ）］。ＡＴＭ交換機Ｃ−１が受信した指定ＤＴＬは次である。［Ｃ−１（ｃ−１２）、Ｃ−２（ｃ２１）］。ＡＴＭ交換機Ｄ−１が受信した指定ＤＴＬは次である。［Ｄ−１（ｄ−１２）、Ｄ−２（ｚ）］。これらのＡＴＭ交換機が受信する発呼識別子ＮＣＣＩは全てＢ−１−ｙである。ただし、Ｏ（ｏ）の記述形式は、ＯがノードＩＤでありｏがポートＩＤである。また、［  ］、［  ］のような記述形式は、第一項目にあたる［  ］内への記述が仮想論理階層としてみなした場合の最下位層に対する経路指定であり、次項にあたる［  ］内への記述は、前項で認識した仮想論理階層よりも一段上位の階層に対する経路指定にあたる。なお、この［  ］の記述形式としては、先に述べたような２階層の場合に限らず、３階層や４階層など多階層（ｎ階層）ＰＮＮＩネットワークの場合にも適用することでき、その場合には各階層毎に指定経路が記述される［  ］の並びが３つもしくは４つになることで扱いが可能である。
【００４０】
ＡＴＭ交換機Ｂ−１では、図３のステップ６１が実施され、呼処理要求１受信部２１ａがＰＮＮＩ−ＮＷ構成情報処理機能部３１ａを参照し、通常行う自動経路計算処理に優先して、指定ＤＴＬによる自ピア・グループＢ内の経路確立が適用可能かのチェックをし、受信した指定ＤＴＬの正常性を判定する（ステップ６２）。正常性が得られない場合には、受信していた指定ＤＴＬとＮＣＣＩは破棄し、通常の自動経路計算処理を行うことでターミナルＺまでの経路を確立して（ステップ６４）ＡＴＭ−Ｆｏｒｕｍの標準に従う発呼要求を行う。しかしこの場合には、指定した経路の保証は無くなり、また発呼識別子ＮＣＣＩが破棄されるため中継するエントリ・ノードなどで受信していた指定ＤＴＬやＮＣＣＩもその意図を失う。逆に、指定ＤＴＬの正常性が得られた場合には、次のノードとして指定されているＡＴＭ交換機Ｂ−２に向けてリンクｂ−１２を使用してＳＥＴＵＰメッセージを準備する（ステップ６３）。なおこの発呼ＳＥＴＵＰメッセージには指定ＮＣＣＩであるＢ−１−ｙを含める（ステップ６５）。
【００４１】
ＡＴＭ交換機Ｂ−２は、ＡＴＭ交換機Ｂ−１と同一ピア・グループなので発呼要求中のＤＴＬは既に経路保証を済ませているため、その記述を信用しリンクｂ２１を使用して指定ＮＣＣＩであるＢ−１−ｙを含めた発呼ＳＥＴＵＰメッセージをＡＴＭ交換機Ｃ−１に向けて送信する。このピア・グループＢを出るとき、指定ＤＴＬ中の最下位層にあたるＤＴＬ記述はＡＴＭ−Ｆｏｒｕｍの標準を満足するように削除する。そのため送信されるＤＴＬは次になる。［Ｂ（ｂ２１）、Ｃ（ｃ２１）、Ｄ（ｚ）］。
【００４２】
エントリ・ノードとしてのＡＴＭ交換機Ｃ−１、ＡＴＭ交換機Ｄ−１ではステップ７１が実施され、呼処理要求１受信部２１ｂがＰＮＮＩ−ＮＷ構成情報処理機能部３１ｂを参照し、指定ＤＴＬの正常性を判定し（ステップ７２）、正常性が得られた下で受信したＤＴＬとＮＣＣＩをＮＣＣＩ／指定ＤＴＬ記憶部４３ｂに記憶する（ステップ７４）。ただし、オリジネイテッド・ノードにおける指定ＤＴＬの正常性判定処理と異なり、エントリ・ノードにてそのＤＴＬの正常性が得られない場合にはそれらの情報は一斉に破棄し（ステップ７３）、ターミナルＹからターミナルＺまでの指定経路取得が適わなくなったことをＮＭＳ１００に通知し本処理を終了する。なお、この場合でのオリジネイテッド・ノード経由で受信するＤＴＬによるＳ−ＰＶＣコネクション設定は、エントリ・ノードであるＡＴＭ交換機Ｃ−１が持つ自動経路計算処理によって実施する。指定ＤＴＬの正常性が得られた下で待機していると、オリジネイテッド・ノード経由の発呼要求があがってくる（ステップ７５）。ＳＥＴＵＰメッセージを受信したＡＴＭ交換機Ｃ−１では、ＳＥＴＵＰメッセージ中のＮＣＣＩと、事前にＮＭＳ１００より受け取っていたピア・グループＣ内向けの指定ＤＴＬに関連したＮＣＣＩとが一致するものであるかを判定する（ステップ７６）。一致しない場合には、指定ＤＴＬとして発呼要求があったものではないと認識し、通常行う自動経路計算処理を実施し、次の発呼要求処理に移る（ステップ７８）。一致する場合には、自動経路計算処理に優先して、呼処理要求２受信部２２ｂにて受信したＤＴＬと呼処理要求１受信部２１ｂにて受信した指定ＤＴＬを組み合わせることで、自ピア・グループ内の経路指定と以降のピア・グループに対する経路指定要求を同時に実施する。このとき次ノードであるＡＴＭ交換機Ｃ−２に向けて送信されるＤＴＬとＮＣＣＩは次になる。［Ｃ−１（ｃ−１２）、Ｃ−２（ｃ２１）］、［Ｂ（ｂ２１）、Ｃ（ｃ２１）、Ｄ（ｚ）］、Ｂ−１−ｙ（ステップ７９）。
【００４３】
ＡＴＭ交換機Ｃ−２における処理はＡＴＭ交換機Ｂ−２における処理と同様であり、ＡＴＭ交換機Ｄ−１に向けて送信されるＤＴＬは同様に最下位層のＤＴＬを削除して送信されるため次になる。［Ｂ（ｂ２１）、Ｃ（ｃ２１）、Ｄ（ｚ）］。
【００４４】
ＡＴＭ交換機Ｄ−１、Ｄ−２における処理はＡＴＭ交換機Ｃ−１、Ｃ−２と同様である。
【００４５】
上記処理により、ＮＭＳ１００より指定した経路を実現するターミナルＹからターミナルＺまでのＳ−ＰＶＣコネクションが確立される。
【００４６】
なお、オリジネイテッド・ノードＡＴＭ２０ａおよびエントリ・ノードＡＴＭ２０ｂは、必ずしも本発明の実施形態において説明したようなオリジネイテッド・ノードや各エントリ・ノードに該当するＡＴＭ交換機にだけ搭載されている必要はなく、ＰＮＮＩネットワーク内の全てのＡＴＭ交換機に両者の機能を搭載することにより、経路指定ＤＴＬを処理するＡＴＭ交換機が増えるため、Ｓ−ＰＶＣコネクションとしての経路選択幅が広がる。
【００４７】
また、ＰＮＮＩネットワークの仮想論理階層が、本発明の実施形態に述べた二階層に限定されることはなく多階層（ｎ階層）ＰＮＮＩネットワークにおいても適用することが可能である。このときには、指定ＤＴＬの構造がその階層に応じて増えることにより対応する。
【００４８】
更に、通常のＳＶＣコネクションを確立する際にも指定ＤＴＬによりその経路を指定することが可能のため、Ｓ−ＰＶＣコネクションの経路指定に限定されることはない。
【００４９】
更に、通常、ノードにて構築されるＤＴＬは優先順位をつけながら複数経路用意されるため、オペレータからの指定する経路としても経路情報に複数個記述することで、第一希望の経路を獲得できなくても、次に希望する経路を獲得できる処理を実施することができる。
【００５０】
次に、本発明を他の実施形態として転用することを考える。これは、本発明におけるＳ−ＰＶＣコネクション経路獲得の際の呼処理手順を他の手順に置き換えることで実現できる。すなわち、発呼要求ＳＥＴＵＰメッセージを識別するために用いていた共通識別子ＮＣＣＩの扱いを無くし、発呼要求ＳＥＴＵＰメッセージ中の目的地番号（ＣｄＰＮ：Ｃａｌｌｅｄ  Ｐａｒｔｙ  Ｎｕｍｂｅｒ）と要求元番号（ＣｇＰＮ：Ｃａｌｌｉｎｇ  Ｐａｒｔｙ  Ｎｕｍｂｅｒ）のそれぞれのフィールドに記述される着ＡＴＭアドレスと発ＡＴＭアドレスを新たな発呼識別子として代用機能させることである。図２のＰＮＮＩネットワーク構成の運用時に、ＣｄＰＮ・ＣｇＰＮを発呼識別子としてＤＴＬ指定呼設定システムを考えた場合の動作を、図４、図５を参照して説明する。
【００５１】
なお、参照すると、図１と違う機能部が次であることがわかる；データ処理部３０ａ、３０ｂ内のＣｄＰＮ・ＣｇＰＮ／ＤＴＬ処理機能部３３０ａ、３３０ｂ、データ管理部４０ａ、４０ｂ内のＣｄＰＮ・ＣｇＰＮ／指定ＤＴＬ記憶部４３０ａ、４３０ｂ。
【００５２】
先の実施形態と同様に次のＳ−ＰＶＣコネクションを確立するとする；ターミナルＹ、リンクｙ、ＡＴＭ交換機Ｂ−１、リンクｂ−１２、ＡＴＭ交換機Ｂ−２、リンクｂ２１、ＡＴＭ交換機Ｃ−１、リンクｃ−１２、ＡＴＭ交換機Ｃ−２、リンクｃ２１、ＡＴＭ交換機Ｄ−１、リンクｄ−１２、ＡＴＭ交換機Ｄ−２、リンクｚ、ターミナルＺ。
【００５３】
ＡＴＭ交換機Ｂ−１が受信した指定ＤＴＬは次である。［Ｂ−１（ｂ−１２）、Ｂ−２（ｂ２１）］、［Ｂ（ｂ２１）、Ｃ（ｃ２１）、Ｄ（ｚ）］。ＡＴＭ交換機Ｃ−１が受信した指定ＤＴＬは次である。［Ｃ−１（ｃ−１２）、Ｃ−２（ｃ２１）］。ＡＴＭ交換機Ｄ−１が受信した指定ＤＴＬは次である。［Ｄ−１（ｄ−１２）、Ｄ−２（ｚ）］。また、これらのＡＴＭ交換機が受信する発呼識別子ＣｄＰＮ・ＣｇＰＮは全てＢ−１−ｙ―２とする。
【００５４】
ＡＴＭ交換機Ｂ−１では呼処理要求１受信部２１ａにてＣｄＰＮ・ＣｇＰＮ、指定ＤＴＬを受信し（ステップ８１）、続いて指定ＤＴＬの正常性を判定する（ステップ８２）。正常性が得られない場合には、受信した指定ＤＴＬとＣｄＰＮ・ＣｇＰＮを破棄し、通常の経路計算処理を行うことでターミナルＺまでの経路を確立し（ステップ８４）、正常性が得られた場合には、次ノードとして指定されているＡＴＭ交換機Ｂ−２に向けてリンクｂ−１２を使用してＳＥＴＵＰメッセージを送信する（ステップ８３）。なお、この発呼ＳＥＴＵＰメッセージには共通識別子であるＢ−１−ｙ−２を含める（ステップ８５）。
【００５５】
ＡＴＭ交換機Ｂ−２では、同一ピア・グループということでＡＴＭ交換機Ｂ−１より受信する発呼要求として既に経路保証を済ませているため、リンクｂ２１を使用して共通識別子Ｂ−１−ｙ−２を含めた発呼ＳＥＴＵＰメッセージをＡＴＭ交換機Ｃ−１に向けて送信する。なお、このピア・グループＢを出るときのＤＴＬ記述は、ＡＴＭ−Ｆｏｒｕｍ標準を満足するように次のように編集されて送信される；［Ｂ（ｂ２１）、Ｃ（ｃ２１）、Ｄ（ｚ）］。
【００５６】
エントリ・ノードとしてのＡＴＭ交換機Ｃ−１とＡＴＭ交換機Ｄ−１では呼処理要求１受信部２１ｂにてＣｄＰＮ・ＣｇＰＮ、指定ＤＴＬを受信し（ステップ９１）、続いて指定ＤＴＬの正常性を判定する（ステップ９２）。正常性が得られた下で受信した指定ＤＴＬとＢ−１−ｙ−２をＣｄＰＮ・ＣｇＰＮ／指定ＤＴＬ記憶部４３０ｂに格納し（ステップ９４）、オリジネイテッド・ノード経由の発呼要求を待つ。呼処理要求２受信部２２ｂにてそのＳＥＴＵＰメッセージを受信したＡＴＭ交換機Ｃ−１（ステップ９５）は、当ＳＥＴＵＰメッセージ中に含まれる共通識別子ＣｄＰＮ・ＣｇＰＮとＣｄＰＮ・ＣｇＰＮ／指定ＤＴＬ記憶部４３０ｂに格納されているＢ−１−ｙ−２との一致性を判定する（ステップ９６）。一致しない場合には、指定ＤＴＬとしての発呼要求とはみなさず通常行う自動経路計算処理を実施し次の発呼要求処理に移る（ステップ９８）。共通識別子が一致する場合には、自動経路計算処理を行わず、ＣｄＰＮ・ＣｇＰＮ／指定ＤＴＬ記憶部４３０ｂに格納されている指定ＤＴＬを、呼処理要求２受信部２２ｂにて前段のピア・グループＢより受信したＤＴＬに付加することで、自ピア・グループ内の経路指定と以降のピア・グループに対する経路指定要求を実施する（ステップ９７）。このとき、次ノードであるＡＴＭ交換機Ｃ−２に向けて送信されるＤＴＬと共通識別子ＣｄＰＮ・ＣｇＰＮは次である；［Ｃ−１（ｃ−１２）、Ｃ−２（ｃ２１）］、［Ｂ（ｂ２１）、Ｃ（ｃ２１）、Ｄ（ｚ）］、Ｂ−１−ｙ−２（ステップ９９）。
【００５７】
ＡＴＭ交換機Ｃ−２における処理は、ＡＴＭ交換機Ｂ−２における処理と同様であり、ＡＴＭ交換機Ｄ−１に向けて送信されるＤＴＬも同様に最下位層のＤＴＬ記述を削除して送信されるため次になる。［Ｂ（ｂ２１）、Ｃ（ｃ２１）、Ｄ（ｚ）］。
【００５８】
ＡＴＭ交換機Ｄ−１、Ｄ−２における処理は、ＡＴＭ交換機Ｃ−１、Ｃ−２と同様である。
【００５９】
上記処理により、ＮＭＳ１００より指定した経路を実現するターミナルＹからターミナルＺまでのＳ−ＰＶＣコネクションが確立される。
【００６０】
以上、本発明の他の実施形態として、共通識別子としてＣｄＰＮ・ＣｇＰＮを代用することで本発明を実施できることを述べた。
【００６１】
【発明の効果】
以上説明したように、本発明によれば、以下の効果が奏される。
【００６２】
第一の効果は、単一のピア・グループに対して、運用管理者の指定するＳ−ＰＶＣコネクションが確立できることである。
【００６３】
その理由は、オリジネイテッド・ノードに対して経路情報をＳＥＴＵＰメッセージに付加することで、オリジネイテッド・ノード機能部２０ａを有するオリジネイテッド・ノードが、自身が持つＰＮＮＩトポロジー情報としての最適な経路（内部ＤＴＬより導出）よりも経路情報を優先してＳ−ＰＶＣ設定を行うことで運用管理者による経路指定が可能となるからである。
【００６４】
第二の効果は、複数のピア・グループをまたがるネットワークに対して、運用管理者の指定するＳ−ＰＶＣコネクションが確立できることである。
【００６５】
その理由は、第一の効果の延長として、エントリ・ノード機能部２０ｂを有するエントリ・ノードに対しても経路情報を投入し、その経路情報を優先してＳ−ＰＶＣ設定を行うことで運用管理者による経路指定が可能となるからである。なお、このときには発呼要求としての識別子と経路情報との関連づけを行うことで可能にしている。
【００６６】
第三の効果は、複数のベンダーのＡＴＭ交換機から構成されるＰＮＮＩネットワークに対しても、容易に運用管理者の指定するＳ−ＰＶＣコネクションが確立できることである。
【００６７】
その理由は、オリジネイテッド・ノードと各エントリ・ノードに対してのみ本発明にあたるシステムを導入することで運用管理者による経路指定が可能となり、ネットワークを構成する全てのＡＴＭ交換機に対して当システムを導入する必要がないからである。
【００６８】
第四の効果は、複数のベンダーのＡＴＭ交換機から構成されるＰＮＮＩネットワークに対しても、経路指定をＳ−ＰＶＣ設定により行う為にＰＶＣ設定時よりもＡＴＭ交換機に対するアクセス回数が減少できることである。
【００６９】
その理由は、ＰＶＣコネクションを確立する際にはＡＴＭ交換機間のリンク毎にその設定を要するが、オリジネイテッド・ノードとエントリ・ノードへの一括設定をするため、ＰＶＣにみられるようなすべてのノードのＡＴＭ交換機に設定する場合に比べてアクセス回数を削減されるからである。
【００７０】
第五の効果は、複数のベンダーのＡＴＭ交換機から構成されるＰＮＮＩネットワークに対しても、経路指定が行えるだけでなく、障害発生時の迂回経路が自動的に選択されるために伝送路の確保が継続できることである。
【００７１】
その理由は、経路指定によって得たコネクションがＰＮＮＩネットワークのもとでのＳ−ＰＶＣ設定手法によるコネクションである為、指定優先経路中に障害が発生した場合でも、障害時コネクション・リトライ機能により、オリジネイテッド・ノードによって予め有している自動経路選択によって迂回経路が確保できるからである。
【図面の簡単な説明】
【図１】本発明の実施形態によるＰＮＮＩ運用ＡＴＭ交換機網における経路指定Ｓ−ＰＶＣ設定システムの構成を示すブロック図である。
【図２】本発明の実施形態によるＰＮＮＩ運用ＡＴＭ交換機網における経路指定Ｓ−ＰＶＣ設定システムを説明するためのＡＴＭネットワークの構築例を示す図である
【図３】本発明の実施形態によるＰＮＮＩ運用ＡＴＭ交換機網における経路指定Ｓ−ＰＶＣ設定システムの動作を示すフローチャートである。
【図４】本発明の他の実施形態によるＰＮＮＩ運用ＡＴＭ交換機網における経路指定Ｓ−ＰＶＣ設定システムの構成を示すブロック図である。
【図５】本発明の他の実施形態によるＰＮＮＩ運用ＡＴＭ交換機網における経路指定Ｓ−ＰＶＣ設定システムの動作を示すフローチャートである。
【符号の説明】
１０  ＮＭＳ内部機能部
１１  ＮＭＳ内ＮＷ構成管理部
１２  呼処理要求送信部
２０ａ  オリジネイテッド・ノードＡＴＭ
２０ｂ  エントリ・ノードＡＴＭ
２１ａ、２１ｂ  呼処理要求１受信部
２２ａ、２２ｂ  呼処理要求２受信部
３０ａ、３０ｂ  データ処理部
３１ａ、３１ｂ  ＰＮＮＩ−ＮＷ構成情報処理機能部
３２ａ、３２ｂ  呼処理機能部
３３ａ、３３ｂ  ＮＣＣＩ／指定ＤＴＬ処理機能部
４０ａ、４０ｂ  データ管理部
４１ａ、４１ｂ  ＮＷ構成管理部
４２ａ、４２ｂ  呼処理情報記憶部
４３ａ、４３ｂ  ＮＣＣＩ／指定ＤＴＬ記憶部
５０  発呼元
１００  ＮＭＷ（ネットワークマネジメントシステム）
【図１】
0003546954.tif 000002
【図２】
0003546954.tif 000003
【図３】
0003546954.tif 000004
【図４】
0003546954.tif 000005
【図５】
0003546954.tif 000006